【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
地図データを配信する地図配信サーバとそれを受信するナビゲーション端末とを有する地図配信システムであって、
上記地図配信サーバが、
更新すべき地図データを含む地図更新データと該地図更新データのＩＤとを対応づけて保持する地図更新データ管理テーブルと、
地図データの特定領域と、該特定領域のバージョンと、該特定領域のために適用済みでなければならない上記地図更新データのＩＤとを対応づけて保持するエリア単位地図更新データ管理テーブルとを記憶する記憶部と、
上記エリア単位地図更新データ管理テーブル部を参照して、上記ナビゲーション端末からの入力に基づき選択された特定領域の更新に必要な地図更新データＩＤを選択する地図更新データ管理部と、
前記選択された地図更新データＩＤに対応する地図更新データを配信する通信部とを有することを特徴とする地図配信システム。
【請求項２】
請求項１の地図配信システムにおいて、
上記地図配信サーバの上記地図更新データ管理部が、
更新対象の地図更新データである道路データを除外したネットワークを連結成分ごとに分割する機能と、
該連結成分間を切断または接続する地図更新データを検出する機能と、
上記連結成分間を切断する切断地図更新データから、該切断される該連結成分間の道路データを接続する複数もしくは単数の接続地図更新データへの依存属性とを対応付けて、
該接続地図更新データを該切断地図更新データのために適用済みでなければならない依存地図更新データとして上記記憶部に格納する機能と、
選択された地図更新データが切断地図更新データを含む場合に、対応する上記依存地図更新データをあわせて配信する機能とを有することを特徴とする地図配信システム。
【請求項３】
請求項２の地図配信システムにおいて、
上記地図配信サーバの上記地図更新データ管理部は、請求項２における連結成分間を切断する地図更新データを配信する際に該連結成分間を接続する道路を追加する地図更新データを配信させる手段として、請求項１に記載の地図更新データ管理部に、上記連結成分間を接続する道路データを追加する地図更新データを追記することを用いること、を特徴とする地図配信システム。
【請求項４】
請求項１記載の地図配信システムであって、上記ナビゲーション端末は、上記地図配信サーバに向けて、該ナビゲーション端末が有する地図データのエリアごとのバージョン番号を含む地図更新要求を送信し、
上記地図配信サーバの上記地図更新データ管理部は該地図データのエリアごとのバージョン番号に基づいて上記更新する特定領域を決定することを特徴とする地図配信システム。
【請求項５】
地図データを配信する地図配信サーバとそれを受信するナビゲーション端末とを有する地図配信システムにおける地図配信管理方法であって、
上記地図配信サーバが、更新すべき地図データを含む地図更新データと該地図更新データのＩＤとを対応づけて保持する地図更新データ管理テーブルと、地図データの特定領域と、該特定領域のバージョンと、該特定領域のために適用済みでなければならない上記地図更新データのＩＤとを対応づけて保持するエリア単位地図更新データ管理テーブルとを記憶する記憶部と、地図更新データ管理部と通信部とを有し、
該地図更新データ管理部において、上記エリア単位地図更新データ管理テーブル部を参照して上記ナビゲーション端末からの入力に基づき選択された特定領域の更新に必要な地図更新データＩＤを選択する第１のステップと、
上記通信部から、選択された地図更新データＩＤに対応する地図更新データを配信する第２のステップとを有することを特徴とする地図配信管理方法。
【請求項６】
請求項５の地図配信管理方法であって、
上記地図配信サーバの上記地図更新データ管理部において、
更新対象の地図更新データである道路データを除外したネットワークを連結成分ごとに分割する第３のステップと、
該連結成分間を切断または接続する地図更新データを検出する第４のステップと、
上記連結成分間を切断する切断地図更新データから、該切断される該連結成分間の道路データを接続する複数もしくは単数の接続地図更新データへの依存属性とを対応付けて、該接続地図更新データを該切断地図更新データのために適用済みでなければならない依存地図更新データとして上記記憶部に格納する第５のステップとを有し、
上記第２のステップにおける選択された地図更新データＩＤの地図更新データが切断地図更新データを含む場合に、対応する上記依存地図更新データをあわせて配信することを特徴とする地図配信管理方法。
【請求項７】
請求項６の地図配信管理方法において、
上記地図配信サーバの上記地図更新データ管理部において、前記連結成分間を切断する地図更新データを配信する際に該連結成分間を接続する道路を追加する地図更新データを配信させる手段として、上記連結成分間を接続する道路データを追加する地図更新データを追記するステップを有することを特徴とする地図配信管理方法。
【請求項８】
請求項５記載の地図配信管理方法であって、
上記地図配信サーバにおいて、該ナビゲーション端末から地図データのエリアごとのバージョン番号を含む地図更新要求を受信するステップを有し、
前記第１のステップにおいては、上記地図配信サーバの上記地図更新データ管理部は該地図データのエリアごとのバージョン番号に基づいて上記更新する特定領域を決定することを特徴とする地図配信管理方法。
【請求項９】
ナビゲーション端末と接続可能な、地図データを配信する地図配信サーバであって、
更新すべき地図データを含む地図更新データと該地図更新データのＩＤとを対応づけて保持する地図更新データ管理テーブルと、
地図データの特定領域と、該特定領域のバージョンと、該特定領域のために適用済みでなければならない上記地図更新データのＩＤとを対応づけて保持するエリア単位地図更新データ管理テーブルとを記憶する記憶部と、
上記エリア単位地図更新データ管理テーブル部を参照して、上記ナビゲーション端末からの入力に基づき選択された特定領域の更新に必要な地図更新データＩＤを選択する地図更新データ管理部と、
前記選択された地図更新データＩＤに対応する地図更新データを配信する地図更新データ配信部とを有することを特徴とする地図配信サーバ。
【請求項１０】
請求項９の地図配信サーバにおいて、
上記地図更新データ管理部が、
更新対象の地図更新データである道路データを除外したネットワークを連結成分ごとに分割する機能と、
該連結成分間を切断または接続する地図更新データを検出する機能と、
上記連結成分間を切断する切断地図更新データから、該切断される該連結成分間の道路データを接続する複数もしくは単数の接続地図更新データへの依存属性とを対応付けて、該接続地図更新データを該切断地図更新データのために適用済みでなければならない依存地図更新データとして上記記憶部に格納する機能と、
選択された地図更新データが切断地図更新データを含む場合に、対応する上記依存地図更新データをあわせて配信するよう機能とを有することを特徴とする地図配信サーバ。
【請求項１１】
請求項１０の地図配信サーバにおいて、
上記地図更新データ管理部は、請求項２における連結成分間を切断する地図更新データを配信する際に該連結成分間を接続する道路を追加する地図更新データを配信させる手段として、請求項１に記載の地図更新データ管理部に、上記連結成分間を接続する道路データを追加する地図更新データを追記したものを用いることを特徴とする地図配信サーバ。
【請求項１２】
請求項９記載の地図配信サーバであって、上記地図更新データ管理部は、上記ナビゲーション端末から、該ナビゲーション端末が有する地図データのエリアごとのバージョン番号を含む地図更新要求を受信し、
該地図データのエリアごとのバージョン番号に基づいて上記更新する特定領域を決定することを特徴とする地図配信サーバ。